(57)【要約】【課題】陳列時に生じ得る不具合を解消することができる陳列容器を提供する。【解決手段】陳列用容器１の凹部４２内に縦壁４４と横壁４５を設けて収容部５１を形成する。収容部５１を、スポンジ２３とほぼ同形状であってスポンジ２３より一回り大きく形成し、収容部５１にスポンジ２３を遊嵌できる大きさに設定する。スポンジ２３の後壁面３６に対向する後壁面対向部６４に、収容されたスポンジ２３の後壁面３６に当接して当該スポンジ２３の前壁面３５を前壁面対向部６３に押し付ける第１凸条部７１を内側へ向けて膨出形成する。第１凸条部７１を、後壁面対向部６４の中央部に設け、スポンジ２３の後壁面３６の最も後退した中央部に当接するように構成されている。【選択図】図２
2008155973.tif 000002
【特許請求の範囲】
【請求項１】
製品を収容する収容部が凹設された陳列用容器において、
前記収容部を前記製品が遊嵌する大きさに設定するとともに、前記収容部の内側面に、収容された前記製品に当接して当該製品を対向部位に押し付ける凸条を設けたことを特徴とする陳列用容器。
【請求項２】
前記凸条を、前記収容部への前記製品の挿入方向に延設したことを特徴とする請求項１記載の陳列用容器。
【請求項３】
前記収容部が横方向へ開口するように起立した状態において、前記製品の横方向から当接する部位に前記凸条を設けたことを特徴とする請求項１又は２記載の陳列用容器。
【請求項４】
前記収容部が横方向へ開口するように起立した状態において、前記製品の縦方向から当接する部位に前記凸条を設けたことを特徴とする請求項１、２又は３記載の陳列用容器。
【請求項５】
前記収容部の前記内側面に包囲された前記製品の各壁面に対向するそれぞれの部位に前記凸条を設けたことを特徴とする請求項１から４にいずれか記載の陳列用容器。
【請求項６】
前記製品の壁面に、内側へ後退した湾曲面からなる凹面を形成し、
該凹面に対向した前記収容部の前記内側面の部位に前記凸条を設けたことを特徴とする請求項１から５にいずれか記載の陳列用容器。
【請求項７】
前記製品の壁面に、外側へ突出した湾曲面からなる凸面を形成し、
該凸面に対向した前記収容部の前記内側面の部位に、一対の前記凸条を離間して設けたことを特徴とする請求項１から６にいずれか記載の陳列用容器。
【請求項８】
凹設された収容部に製品が収容された状態で、前面に開口部が設けられた箱体に収容される陳列用容器において、
前記製品の前壁面を外側に突出した湾曲面からなる凸面で構成するとともに、当該製品の後壁面を内側に後退した湾曲面からなる凹面で構成し、当該製品が遊嵌する大きさに前記収容部を設定する一方、
前記凹面に対向する前記収容部の内側面の部位に、前記凹面に当接する第１凸条部を当該収容部への前記製品の挿入方向に延設し、前記凸面に対向する前記収容部の前記内側面の部位に、前記凸面に当接する第２凸条部及び第３凸条部を離間して前記挿入方向に延設したことを特徴とする陳列用容器。
【発明の詳細な説明】
【技術分野】
【０００１】
本発明は、製品を収容する陳列用容器に関する。
【背景技術】
【０００２】
従来、店頭で販売される製品は、箱体に収容されており、この箱体としては、包装用箱が知られている（例えば、特許文献１）。
【０００３】
この包装用箱には、透明袋に収容された製品が収容されており、当該包装用箱の前面には、開口部が開設されている。これにより、前記開口部から当該包装用箱内に収容された前記製品を見えるように構成されている。
【０００４】
このような包装用箱に製品を収容する場合、その大きさが前記開口部より小さいと前記開口部から飛び出てしまう。
【０００５】
これを解決するために、前記開口部より大きな容器体を用意するとともに、該容器体に凹設された収容部に製品を収容して前記包装用箱に収容することで、前記開口部からの前記製品の飛び出しを防止する方法が考えられる。
【特許文献１】特開平３−１６０２６４号公報
【発明の開示】
【発明が解決しようとする課題】
【０００６】
しかしながら、このような方法にあっては、前記包装用箱を立て掛けて、あるいは吊り下げて陳列する際に、前記製品が前記収容部から離脱する恐れがある。
【０００７】
この場合、前記容器体に整列された製品が前記透明袋内でバラバラになり、見栄えの悪化を招いてしまう。
【０００８】
本発明は、このような従来の課題に鑑みてなされたものであり、陳列時に生じ得る不具合を、収容容易性を損なうことなく解消することができる陳列容器を提供することを目的とするものである。
【課題を解決するための手段】
【０００９】
前記課題を解決するために本発明の請求項１の陳列用容器にあっては、製品を収容する収容部が凹設された陳列用容器において、前記収容部を前記製品が遊嵌する大きさに設定するとともに、前記収容部の内側面に、収容された前記製品に当接して当該製品を対向部位に押し付ける凸条を設けた。
【００１０】
すなわち、製品が収容される収容部は、前記製品が遊嵌する大きさに設定されており、この収容部の内側面には、収容された前記製品に当接して当該製品を対向部位に押し付ける凸条が設けられている。
【００１１】
このため、前記収容部に前記製品を収容する際には、前記収容部と前記製品との間に隙間が確保されるため、前記収容部が前記製品と同じ大きさに形成された場合と比較して、前記収容部への前記製品の収容が容易に行われる。
【００１２】
また、この収容部に前記製品を収容した状態では、当該収容部の内側面に形成された前記凸条が前記製品に当接することにより、当該製品を対向部位に押し付けることができる。このため、前記製品が前記収容部に遊嵌する場合と比較して、当該製品は収容部内に保持される。
【００１３】
このとき、前記製品には、凸条が当接する。このため、例えば円形の凸部が当接する場合と比較して、該凸部を中心とした前記製品の不用意な回動が防止される。
【００１４】
また、請求項２の陳列用容器においては、前記凸条を、前記収容部への前記製品の挿入方向に延設した。
【００１５】
すなわち、前記凸条は、前記製品の挿入方向に延在する。このため、前記凸条が、前記製品の挿入方向に対して、横方向に延在する場合と比較して、製品挿入時での摩擦抵抗が抑えられる。
【００１６】
さらに、請求項３の陳列用容器では、前記収容部が横方向へ開口するように起立した状態において、前記製品の横方向から当接する部位に前記凸条を設けた。
【００１７】
これにより、前記収容部内での前記製品の横ズレが防止される。また、製品を縦断する中心線を中心とした回転防止効果が高められる。
【００１８】
加えて、請求項４の陳列用容器にあっては、前記収容部が横方向へ開口するように起立した状態において、前記製品の縦方向から当接する部位に前記凸条を設けた。
【００１９】
これにより、前記収容部内での前記製品の縦ズレが防止される。また、製品を横断する中心線を中心とした回転防止効果が高められる。
【００２０】
また、請求項５の陳列用容器においては、前記収容部の前記内側面に包囲された前記製品の各壁面に対向するそれぞれの部位に前記凸条を設けた。
【００２１】
これにより、前記収容部内での前記製品の各壁面に対向した方向へのズレが防止される。
【００２２】
さらに、請求項６の陳列用容器では、前記製品の壁面に、内側へ後退した湾曲面からなる凹面を形成し、該凹面に対向した前記収容部の前記内側面の部位に前記凸条を設けた。
【００２３】
すなわち、前記製品の壁面には、内側へ後退した湾曲面からなる凹面が形成されており、前記凸条は、この凹面に当接する。
【００２４】
このため、前記製品に回転力が生じた際には、前記凸条の端部が当該凸条側に反り出した前記凹面の部位に干渉し、当該製品には、前記凹面から反力が加えられる。
【００２５】
加えて、請求項７の陳列用容器にあっては、前記製品の壁面に、外側へ突出した湾曲面からなる凸面を形成し、該凸面に対向した前記収容部の前記内側面の部位に、一対の前記凸条を離間して設けた。
【００２６】
すなわち、前記製品の壁面には、外側へ突出した湾曲面からなる凸面が形成されており、該凸面に一対の離間した凸条が当接することによって、両凸条間に位置する前記凸面の部位は、各凸条との接点より外側へ突出する。
【００２７】
このため、前記製品に回転力が生じた際には、一方の凸条の一端部及び他方の凸条の他端部が、両凸条との接点より外側に突出した前記凸面の部位に干渉し、当該製品には、前記凸面から反力が加えられる。
【００２８】
そして、本発明の請求項８の陳列用容器では、凹設された収容部に製品が収容された状態で、前面に開口部が設けられた箱体に収容される陳列用容器において、前記製品の前壁面を外側に突出した湾曲面からなる凸面で構成するとともに、当該製品の後壁面を内側に後退した湾曲面からなる凹面で構成し、当該製品が遊嵌する大きさに前記収容部を設定する一方、前記凹面に対向する前記収容部の内側面の部位に、前記凹面に当接する第１凸条部を当該収容部への前記製品の挿入方向に延設し、前記凸面に対向する前記収容部の前記内側面の部位に、前記凸面に当接する第２凸条部及び第３凸条部を離間して前記挿入方向に延設した。
【００２９】
すなわち、製品が収容される収容部は、前記製品が遊嵌する大きさに設定されており、前記収容部に前記製品を収容する際には、前記収容部と前記製品との間に隙間が確保される。このため、前記収容部が前記製品と同じ大きさに形成された場合と比較して、前記収容部への前記製品の収容が容易に行われる。
【００３０】
また、前記製品の壁面には、内側へ後退した湾曲面からなる凹面が形成されており、第１凸条部は、この凹面に当接する。
【００３１】
このため、前記製品に回転力が生じた際には、前記第１凸条部の端部が当該第１凸条部側に反り出した前記凹面の部位に干渉し、当該製品には、前記凹面から反力が加えられる。
【００３２】
さらに、前記製品の壁面には、外側へ突出した湾曲面からなる凸面が形成されており、該凸面に離間した第２及び第３凸条部が当接することによって、両凸条部間に位置する前記凸面の部位は、各凸条部との接点より外側へ突出する。
【００３３】
このため、前記製品に回転力が生じた際には、一方の凸条部の一端部及び他方の凸条部の他端部が、両凸条部との接点より外側に突出した前記凸面の部位に干渉し、当該製品には、前記凸面から反力が加えられる。
【００３４】
そして、前記各凸条部は、前記製品の挿入方向に延在する。このため、前記各凸条部が、前記製品の挿入方向に対して、横方向に延在する場合と比較して、製品挿入時での摩擦抵抗が抑えられる。
【００３５】
また、円形の凸部を製品に当接する場合と比較して、該凸部を中心とした前記製品の不用意な回動が防止される。
【発明の効果】
【００３６】
以上説明したように本発明の請求項１の陳列用容器にあっては、製品が収容される収容部を前記製品が遊嵌する大きさに設定することで、前記収容部に前記製品を収容する際には、前記収容部と前記製品との間に隙間を確保することができる。
【００３７】
このため、前記収容部が前記製品と同じ大きさに形成された場合と比較して、前記収容部への前記製品の収容を容易に行うことができ、ロボット等による製品収容の自動化が容易となる。
【００３８】
また、この収容部に前記製品を収容した状態では、当該収容部の内側面に形成された前記凸条が前記製品に当接し、当該製品を対向部位に押し付けることができる。このため、前記製品が前記収容部に遊嵌する場合と比較して、収容部内での製品の保持が可能となり、前記収容部が横方向へ向けて開口するように立て掛けて、あるいは吊り下げて陳列する場合であっても、前記収容部から前記製品の脱落を防止することができる。
【００３９】
したがって、陳列時に生じ得る不具合を未然に解消することができる。
【００４０】
このとき、前記製品には、凸条が当接する。このため、例えば円形の凸部が当接する場合と比較して、該凸部を中心とした前記製品の不用意な回動も防止することができる。
【００４１】
また、請求項２の陳列用容器において、前記凸条は前記製品の挿入方向に延在している。このため、前記凸条が、前記製品の挿入方向に対して、横方向に延在する場合と比較して、製品挿入時での摩擦抵抗が抑えられ、製品の収容容易性を高めることができる。
【００４２】
さらに、請求項３の陳列用容器では、前記収容部内での前記製品の横ズレを防止することができる。加えて、製品を縦断する中心線を中心とした回転防止効果も高めることができる。
【００４３】
加えて、請求項４の陳列用容器にあっては、前記収容部内での前記製品の縦ズレを防止することができる。そして、製品を横断する中心線を中心とした回転防止効果も高めることができる。
【００４４】
また、請求項５の陳列用容器においては、前記収容部内での前記製品の各壁面に対向した方向へのズレを防止することができる。
【００４５】
さらに、請求項６の陳列用容器では、前記製品の壁面には内側へ後退した湾曲面からなる凹面が形成されており、前記凸条は、この凹面に当接する。
【００４６】
このため、前記製品に回転力が生じた際には、前記凸条の端部が当該凸条側に反り出した前記凹面の部位に干渉し、当該製品には、前記凹面から反力が加えられる。
【００４７】
これにより、当該製品の前記収容部内での不用意な回転を防止することができる。
【００４８】
加えて、請求項７の陳列用容器にあっては、前記製品の壁面に外側へ突出した湾曲面からなる凸面が形成されており、該凸面に一対の離間した凸条が当接することによって、両凸条間に位置する前記凸面の部位を、各凸条との接点より外側へ突出させることができる。
【００４９】
このため、前記製品に回転力が生じた際には、一方の凸条の一端部及び他方の凸条の他端部が、両凸条との接点より外側に突出した前記凸面の部位に干渉し、当該製品に、前記凸面からの反力を加えることができる。
【００５０】
これにより、当該製品の前記収容部内での不用意な回転を防止することができる。
【００５１】
そして、本発明の請求項８の陳列用容器では、製品が収容される収容部を前記製品が遊嵌する大きさに設定することで、前記収容部に前記製品を収容する際には、前記収容部と前記製品との間に隙間を確保することができる。このため、前記収容部が前記製品と同じ大きさに形成された場合と比較して、前記収容部への前記製品の収容を容易に行うことができる。
【００５２】
このため、前記収容部が前記製品と同じ大きさに形成された場合と比較して、前記収容部への前記製品の収容を容易に行うことができ、ロボット等による製品収容の自動化が容易となる。
【００５３】
また、この収容部に前記製品を収容した状態では、当該収容部の内側面に形成された前記各凸条部が前記製品に当接し、当該製品を対向部位に押し付けることができる。このため、前記製品が前記収容部に遊嵌する場合と比較して、収容部内での製品の保持が可能となり、前記収容部が横方向へ向けて開口するように立て掛けて、あるいは吊り下げて陳列する場合であっても、前記収容部から前記製品の脱落を防止することができる。
【００５４】
したがって、陳列時に生じ得る不具合を未然に解消することができる。
【００５５】
そして、前記製品の壁面には、内側へ後退した湾曲面からなる凹面が形成されており、第１凸条部は、この凹面に当接する。
【００５６】
このため、前記製品に回転力が生じた際には、前記第１凸条部の端部が当該第１凸条部側に反り出した前記凹面の部位に干渉し、当該製品には、前記凹面からの反力を加えることができる。
【００５７】
また、前記製品の壁面には、外側へ突出した湾曲面からなる凸面が形成されており、該凸面に離間した第１及び第２凸条部が当接することによって、両凸条部間に位置する前記凸面の部位を、各凸条部との接点より外側へ突出させることができる。
【００５８】
このため、前記製品に回転力が生じた際には、一方の凸条部の一端部及び他方の凸条部の他端部が、両凸条部との接点より外側に突出した前記凸面の部位に干渉し、当該製品には、前記凸面からの反力を加えることができる。
【００５９】
これらによって、当該製品の前記収容部内での不用意な回転を防止することができる。
【００６０】
そして、前記各凸条部は、前記製品の挿入方向に延在する。このため、前記各凸条部が、前記製品の挿入方向に対して、横方向に延在する場合と比較して、製品挿入時での摩擦抵抗を抑えることができる。
【００６１】
また、円形の凸部を製品に当接する場合と比較して、該凸部を中心とした前記製品の不用意な回動が防止される。
【発明を実施するための最良の形態】
【００６２】
（第１の実施の形態）
【００６３】
以下、本発明の第１の実施の形態を図に従って説明する。図１は、本実施の形態にかかる陳列用容器１を備えた陳列品２を示す図であり、当該陳列品２は、製品を収容した状態で店頭などに陳列される。
【００６４】
この陳列品２は、紙製の箱体１１を備えており、当該陳列品２を自立させた状態で陳列棚に配置できるように構成されている。この箱体１１の箱本体１２からは、延出片１３が上方へ向けて延出しており、該延出片１３の中央部には、三角形状の吊り下げ穴１４が開設されている。これにより、当該陳列品２を吊り下げて陳列することもできるように構成されている。
【００６５】
前記箱本体１２の前面２１には、開口部２２が開設されており、当該箱本体１２内に収容された製品を前記開口部２２から見えるように構成されている。そして、この箱本体１２には、透明袋に収容された製品としてのスポンジ２３，・・・が収容されており、該スポンジ２３，・・・は、前記陳列用容器１に保持されている（陳列用容器１の一部にスポンジ２３が収容された状態を図示）。
【００６６】
すなわち、前記スポンジ２３は、図１及び図２に示すように、前記開口部２２より小さな形状であって、横長形状に形成されている。このスポンジ２３は、表面３１及び裏面が平面で形成されており、図２中上方及び下方に位置する側壁面３３，３４も、平面で構成されている。また、前記スポンジ２３は、図１中左方の前壁面３５が外側へ突出した湾曲面からなる凸面で構成されており、当該前壁面３５は、その中央部が最も突出するように構成されている。また、前記スポンジ２３は、図１中右方の後壁面３６が内側へ後退した湾曲面からなる凹面で構成されており、その中央部が最も後退するように構成されている。
【００６７】
前記陳列用容器１は、金型によって形成されており、その外周部には、平坦なフランジ部４１が形成されている。該フランジ部４１の内側には、下面に後退した凹部４２が形成されており、該凹部４２の底面４３からは、図２中上下方向に延在する縦壁４４と、該縦壁４４を横断する一対の横壁４５，４５とが上面側に膨出形成されている。
【００６８】
この凹部４２内には、前記縦壁４４と前記横壁４５，４５とで区画形成された収容部５１，・・・が六ヶ所に設けられており、各収容部５１，・・・は、前記スポンジ２３とほぼ同形状であって、該スポンジ２３より一回り大きく形成されている。これにより、前記各収容部５１，・・・は、前記スポンジ２３を遊嵌できる大きさに設定されている。
【００６９】
前記各収容部５１，・・・の内側面は、前記スポンジ２３を収容した状態で、該スポンジ２３の各側壁面３３，３４に対向する側壁面対向部６１，６２と、前記スポンジ２３の前記前壁面３５と対向する前壁面対向部６３と、前記スポンジ２３の前記後壁面３６に対向する後壁面対向部６４とによって構成されている。前記前壁面対向部６３は、突出した前記前壁面３５に沿って後退した湾曲面で構成されており、その中央部が最も後退するように構成されている。前記後壁面対向部６４は、前記スポンジ２３の前記後壁面３６に沿って突出した湾曲面で構成されており、その中央部が最も突出するように構成されている。
【００７０】
前記スポンジ２３の前記後壁面３６に対向する前記各後壁面対向部６４には、当該収容部５１に収容された前記スポンジ２３の前記後壁面３６に当接して当該スポンジ２３の前記前壁面３５を前記前壁面対向部６３に押し付ける凸条としての第１凸条部７１が内側へ向けて膨出形成されている。該第１凸条部７１は、前記後壁面対向部６４の中央部に設けられており、前記スポンジ２３の後壁面３６の最も後退した中央部に当接するように構成されている。
【００７１】
この第１凸条部７１は、図２及び図３に示すように、前記収容部５１への前記スポンジ２３の挿入方向８１に延設されており、前記縦壁４４では、当該縦壁４４が形成する前記後壁面対向部６４の高さ方向全域に渡って形成されている。また、前記フランジ部４１側に形成された前記後壁面対向部６４の前記第１凸条部７１は、当該後壁面対向部６４の中途部から底面４３に渡って形成されている。
【００７２】
これにより、図３に示したように、前記各収容部５１，・・・が横方向へ開口するように当該陳列用容器１を起立した状態において、前記スポンジ２３の横方向から当接する部位に前記第１凸条部７１，・・・が設けられている。
【００７３】
以上の構成にかかる本実施の形態において、製品としてのスポンジ２３が収容される前記収容部５１は、前記スポンジ２３が遊嵌する大きさに設定されており、前記収容部５１に前記スポンジ２３を収容する際には、前記収容部５１と前記スポンジ２３との間に隙間を確保することができる。
【００７４】
このため、前記収容部５１が前記スポンジ２３と同じ大きさに形成された場合と比較して、前記収容部５１への前記スポンジ２３の収容を容易に行うことができる。これにより、ロボット等による前記収容部５１への前記スポンジ２３収容の自動化が容易となる。
【００７５】
また、前記スポンジ２３の後壁面３６には、内側へ後退した湾曲面からなる凹面が形成されており、前記収容部５１の後壁面対向部６４には、前記スポンジ２３の前記後壁面３６に当接する第１凸条部７１が形成されている。
【００７６】
これにより、前記収容部５１に前記スポンジ２３を収容した状態において、前記第１凸条部７１が前記スポンジ２３に当接することによって、当該スポンジ２３の前壁面３５を前記収容部５１の前記前壁面対向部６３に面接させることができる。
【００７７】
このため、前記スポンジ２３が前記収容部５１に遊嵌したままの場合と比較して、該収容部５１内での前記スポンジ２３の保持が可能となり、前記収容部５１が横方向へ向けて開口するように立て掛けて、あるいは吊り下げて陳列する場合であっても、収容部５１内でスポンジ２３が移動してしまうことがなく、また、前記収容部５１からの前記スポンジ２３の脱落を防止することができる。
【００７８】
したがって、陳列時に生じ得る不具合を未然に解消することができる。
【００７９】
この状態において、前記収容部５１が横方向へ開口するように起立させると、前記第１凸条部７１は、前記スポンジ２３に横方向から当接する。
【００８０】
このため、前記収容部５１内での前記スポンジ２３の横ズレを防止することができる。加えて、前記スポンジ２３を縦断する中心線を中心とした回転防止効果も高めることができる。
【００８１】
そして、前記スポンジ２３の前記後壁面３６は、内側へ後退した湾曲面からなる凹面で構成されており、前記第１凸条部７１は、この後壁面３６に当接するように構成されている。このため、前記スポンジ２３に回転力が生じた際には、前記第１凸条部７１の両端部が当該第１凸条部７１側に反り出した前記後壁面３６の部位に干渉し、当該スポンジ２３に、前記後壁面３６からの反力を加えることができる。
【００８２】
これにより、当該スポンジ２３の前記収容部５１内での不用意な回転を防止することができる。
【００８３】
そして、前記各凸条部７１は、前記スポンジ２３の挿入方向８１に延在する。このため、前記各凸条部７１が、前記スポンジ２３の挿入方向８１に対して、横方向に延在する場合と比較して、スポンジ２３挿入時での摩擦抵抗を抑えることができ、スポンジ２３の収容容易性を高めることができる。
【００８４】
また、円形の凸部をスポンジ２３に当接する場合と比較して、該凸部を中心とした前記スポンジ２３の不用意な回動を防止することができる。
【００８５】
（第２の実施の形態）
【００８６】
図４は、第２の実施の形態を示す図であり、第１の実施の形態と同一又は同等部分に付いては、同符号を付して説明を割愛し、異なる部分についてのみ説明する。
【００８７】
すなわち、前記スポンジ２３の前記前壁面３５に対向する前記収容部５１の前記各前壁面対向部６３には、当該収容部５１に収容された前記スポンジ２３の前記前壁面３５に当接して当該スポンジ２３の前記後壁面３６を前記後壁面対向部６４側へ押し付ける凸条としての第２凸条部１０１及び第３凸条部１０２が内側へ向けて膨出形成されている。
【００８８】
前記両凸条部１０１，１０２は、前記各前壁面対向部６３の中央部を境とした両側に離間して設けられており、前記スポンジ２３の前壁面３５の最も突出した中央部の両脇に当接するように構成されている。
【００８９】
これにより、前記各収容部５１，・・・が横方向へ開口するように当該陳列用容器１を起立した状態において、前記スポンジ２３の横方向から当接する部位に前記各凸条部７１，１０１，１０２が設けられており、前記第１凸条部７１によって前記スポンジ２３の前壁面３５が前記第２及び第３凸条部１０１，１０２に圧接され、該第２及び第３凸条部１０１，１０２によって前記スポンジ２３の後壁面３６が前記第１凸条部７１に圧接されるように構成されている。
【００９０】
以上の構成にかかる本実施の形態においても、前述した第１の実施の形態と同様の作用効果を得ることができる。
【００９１】
加えて、前記スポンジ２３の前壁面３５は、外側へ突出した湾曲面からなる凸面を構成し、この前壁面３５に一対の離間した前記凸条部１０１，１０２が当接することによって、両凸条部１０１，１０２間に位置する前記前壁面３５の中央部を、各凸条部１０１，１０２との接点より外側へ突出させることができる。
【００９２】
このため、前記スポンジ２３に回転力が生じた際には、一方の凸条部の一端部及び他方の凸条部の他端部が、両凸条部との接点より外側に突出した前記前壁面３５の部位に干渉することで、当該スポンジ２３に前記前壁面３５からの反力を加えることができる。
【００９３】
これにより、当該スポンジ２３の前記収容部５１内での不用意な回転を防止することができる。
【００９４】
また、前壁面３５側は第２凸条部１０１と第３凸条部１０２により圧接されているため、前壁面３５全体で圧接している第１の実施の形態と比較して、さらにスポンジ２３の摩擦抵抗を抑えることができ、スポンジ２３の収容容易性をさらに高めることができる。
【００９５】
（第３の実施の形態）
【００９６】
図５は、第３の実施の形態を示す図であり、第２の実施の形態と同一又は同等部分に付いては、同符号を付して説明を割愛し、異なる部分についてのみ説明する。
【００９７】
すなわち、前記スポンジ２３の各側壁面３３，３４に対向する前記収容部５１の側壁面対向部６１，６２には、当該収容部５１に収容された前記スポンジ２３の前記各側壁面３３，３４に当接して当該スポンジ２３の逆側の側壁面３３，３４を対向した側壁面対向部６１，６２側へ押し付ける凸条としての第４凸条部２０１及び第５凸条部２０２が内側へ向けて膨出形成されている。
【００９８】
これにより、本実施の形態にあっては、前記収容部５１の内側面に包囲された前記スポンジ２３の各壁面３３，３４，３５，３６に対向するそれぞれの部位に前記各凸条部７１，１０１，１０２，２０１，２０２が設けられている。
【００９９】
前記各凸条部２０１，２０２は、前記各側壁面対向部６１，６２の中央部に設けられおり、前記各収容部５１，・・・が横方向へ開口するように当該陳列用容器１を起立した状態において、前記スポンジ２３の縦方向から当接する部位に前記各凸条部２０１，２０２が設けられている。
【０１００】
これにより、前記第４凸条部２０１によって前記スポンジ２３の前記側壁面３４が前記第５凸条部２０２に圧接されており、該第５凸条部２０２によって前記スポンジ２３の側壁面３３が前記第４凸条部２０１に圧接されるように構成されている。
【０１０１】
以上の構成にかかる本実施の形態においても、前述した第２の実施の形態と同様の作用効果を得ることができる。
【０１０２】
加えて、前記各収容部５１，・・・が横方向へ開口するように当該陳列用容器１を起立した状態において、前記第４及び第５凸条２０１，２０２は、スポンジ２３の縦方向から当接する。
【０１０３】
これにより、前記収容部５１内での前記スポンジ２３の縦ズレを防止することができる。そして、前記スポンジ２３を横断する中心線を中心とした回転防止効果も高めることができる。
【０１０４】
また、本実施の形態にあっては、前記収容部５１の内側面に包囲された前記スポンジ２３の各壁面３３，３４，３５，３６に、前記各凸条部７１，１０１，１０２，２０１，２０２を当接することができる。
【０１０５】
このため、前記収容部５１内での前記スポンジ２３の各壁面３３，３４，３５，３６に対向した方向へのズレを防止することができ、当該スポンジ２３を前記収容部５１の中央に位置決めすることができる。
【０１０６】
また、各側壁面対向部６１，６２は、第４凸条部２０１と第５凸条部２０２により圧接されているため、各側壁面対向部６１，６２全体で圧接している第１又は第２の実施形態と比較して、さらにスポンジ２３の摩擦抵抗を抑えることができ、スポンジ２３の収容容易性をさらに高めることができる。
【０１０７】
（第４の実施の形態）
【０１０８】
図６は、第４の実施の形態を示す図であり、第３の実施の形態と同一又は同等部分に付いては、同符号を付して説明を割愛し、異なる部分についてのみ説明する。
【０１０９】
すなわち、本実施の形態にかかる陳列用容器１は、第３の実施の形態の収容部５１に設けられた第１から第３凸条部７１，１０１，１０２が廃止され、前記収容部５１の内側面には、前記第４及び第５凸条部２０１，２０２のみが形成されている。
【０１１０】
以上の構成にかかる本実施の形態においても、第１の実施の形態と同様の作用効果を得ることができる。
【０１１１】
加えて、前記各収容部５１，・・・が横方向へ開口するように当該陳列用容器１を起立した状態において、前記第４及び第５凸条２０１，２０２を、前記スポンジ２３の縦方向から当接させることによって、前記収容部５１内での前記スポンジ２３の縦ズレを防止することができる。
【０１１２】
そして、この状態では、前記スポンジ２３を横断する中心線を中心とした回転防止効果も高めることができる。
【０１１３】
なお、前述した各実施の形態では、前記陳列用容器１の収容部５１にスポンジ２３を収容した場合を例に挙げて説明したが、これに限定されるものではなく、例えば錠剤等の製品を収容しても良い。
【０１１４】
また、前記陳列用容器１を透明袋に収容して箱体１１に詰めて陳列する場合を例に挙げて説明したが、これに限定されるものではなく、前記陳列用容器１を、そのまま陳列しても良い。
【図面の簡単な説明】
【０１１５】
【図１】本発明の第１の実施の形態を示す平面図である。
【図２】同実施の形態を陳列用容器を示す図である。
【図３】同実施の形態の陳列用容器を示す側面図である。
【図４】本発明の第２の実施の形態を示す平面図である。
【図５】本発明の第３の実施の形態を示す平面図である。
【図６】本発明の第４の実施の形態を示す平面図である。
【符号の説明】
【０１１６】
１    陳列用容器
２    陳列品
１１    箱体
２１    前面
２２    開口部
２３    スポンジ（製品）
３５    前壁面
３６    後壁面
５１    収容部
７１    第１凸条部
８１    挿入方向
１０１    第２凸条部
１０２    第３凸条部
２０１    第４凸条部
２０２    第５凸条部
【図１】
2008155973.tif 000003
【図２】
2008155973.tif 000004
【図３】
2008155973.tif 000005
【図４】
2008155973.tif 000006
【図５】
2008155973.tif 000007
【図６】
2008155973.tif 000008